(57)【要約】【課題】    収納ケースに収納して展示したり持ち運ぶときに、ディスクカートリッジ内でディスクメディアが摺擦するのを防止することを課題とする。【解決手段】  カバー１５２の収容部１５６にディスクカートリッジ１０を収納し、カバー１５２に台紙１５４を取り付けることで、カバー１５２と台紙１５４との間にディスクカートリッジ１０が保持される。このとき、収容部１５６に形成された凸部１５８が、ディスク押さえ２４によって一部が覆われたディスク開口部３５と係合し、ディスクメディア１２を押さえる。これによって、ディスクメディア１２は凸部１５８とケース１４との間に保持されるので、ディスクメディア１２が回転軸方向に移動するのが防止される。従って、輸送時等にディスクカートリッジ用収納ケース１５０が落下した場合でも、ディスクメディア１２がケース１４内で移動するのを防ぐことができるので、ディスクメディア１２がダメージを受けにくくなる。【選択図】  図１
2005271933.tif 000002
【特許請求の範囲】
【請求項１】
ドライブ装置に装填され、レーザ光で情報が記録再生され、前記ドライブ装置の回転スピンドル軸が挿入されるチャッキング開口孔が形成されたディスクメディアと、
前記ディスクメディアを回転可能に収納するケースと、
前記ケースに形成され、前記ディスクメディアを前記ケースから出し入れ可能とする開口部と、
前記開口部に張り出し、前記ディスクメディアを前記ケースに保持する保持部材と、
を備えたディスクカートリッジを収納するディスクカートリッジ用収納ケースにおいて、
前記ディスクカートリッジを収容する収容部が形成されたカバーと、
前記カバーに取り付けられて、前記収容部との間に前記ディスクカートリッジを保持する台紙と、
前記収容部から突設され、前記保持部材によって一部が覆われた開口部と係合し、前記ディスクメディアを押さえる突出部と、
を備えたことを特徴とするディスクカートリッジ用収納ケース。
【請求項２】
前記突出部の前記ディスクメディアに当接する当接面には、複数の突起が設けられていることを特徴とする請求項１に記載のディスクカートリッジ用収納ケース。
【請求項３】
前記突出部には、前記チャッキング開口部に係合する凸部が形成されていることを特徴とする請求項１又は請求項２に記載のディスクカートリッジ用収納ケース。
【請求項４】
前記凸部の断面は、多角形状とされていることを特徴とする請求項３に記載のディスクカートリッジ用収納ケース。
【請求項５】
前記凸部の側壁には、前記チャッキング開口部の軸方向に平行とされた突片が設けられていることを特徴とする請求項３に記載のディスクカートリッジ用収納ケース。
【請求項６】
前記カバーは、透明な部材で形成されたことを特徴とする請求項１〜請求項５のいずれか１項に記載のディスクカートリッジ用収納ケース。
【請求項７】
前記カバーの両端部には、前記台紙の両端部がスライドして係合する係合部が形成されていることを特徴とする請求項１〜請求項６のいずれか１項に記載のディスクカートリッジ用収納ケース。
【請求項８】
前記カバーの平坦面には、前記台紙の端部に設けられた突起部が係合可能な凹部が形成されていることを特徴とする請求項１〜請求項６のいずれか１項に記載のディスクカートリッジ用収納ケース。
【発明の詳細な説明】
【技術分野】
【０００１】
本発明は、ドライブ装置に装填され、情報が記録再生されるディスクメディアが収納されたディスクカートリッジを収容するディスクカートリッジ用収納ケースに関するものである。
【背景技術】
【０００２】
光ディスクや光磁気ディスク等のディスクメディアは、記録又は再生を行う際には、ドライブ装置に装填された状態で回転し、記録ヘッドによってレーザー光又はレーザー光と磁場の両者が記録層へ照射されることで、記録層の分解及び／又は昇温によるピット形成や相変化、磁化反転等によって情報の記録がなされ、又はレーザー光の反射率や偏光角の相違を再生ヘッドで読み取って記録された情報の再生が行われるようになっている。
【０００３】
このようなディスクメディアを収納するケースとして、ディスクメディアのレーベル面を露出させると共に、ディスクメディアを収納した状態でディスクメディアのガタツキを無くし、ディスクメディアへの塵埃の付着を防止するディスクカートリッジが提案されている（特許文献１参照）。
【０００４】
このディスクカートリッジを店頭等にて販売する際、透明な合成樹脂シートで形成された容器（ブリスター）と台紙とを組み合わせた収納ケースの間にディスクカートリッジを収納し、ぶら下げて展示、販売する形態が考えられる。
【０００５】
このとき、収納ケースに収納されたディスクメディアは、自重で面方向（半径方向）に移動する。また、店頭においてユーザーが収納ケースを振る動作等を行うことがあり、ディスクメディアはディスクカートリッジ内で半径方向に移動することが考えられる。
【０００６】
ディスクカートリッジには、ディスクメディアを保持する保持部材が設けられているが、この保持部材はディスクメディアをディスクカートリッジに押圧して保持する方式のため、ディスクメディアの半径方向の力を受けると、保持部材だけでは十分に保持できない。これによって、ディスクカートリッジのディスクメディアを収納する収納部の底面や保持部材に対してディスクメディアが摺接し、ディスクメディアの表面及び裏面（記録面）が傷などのダメージを受けてしまい、美観上問題となる場合があり、また、記録面の傷が大きい場合は、記録再生特性に支障を生じることも起こり得る。
【０００７】
また、ディスクカートリッジ内でディスクメディアが半径方向への移動が目視できたり、振る動作時にディスクカートリッジ内でディスクメディアが半径方向に摺擦する際に発生する音（ユーザーの手に伝わる振動）は、ユーザーへ与える印象として好ましいものではない。
【特許文献１】特開２００３−２４２７４０号公報
【発明の開示】
【発明が解決しようとする課題】
【０００８】
本発明は上記事実を考慮し、収納ケースに収納して展示したり持ち運ぶときに、ディスクカートリッジ内でディスクメディアが摺擦するのを防止することを目的としている。
【課題を解決するための手段】
【０００９】
請求項１に記載の発明は、ドライブ装置に装填され、レーザ光で情報が記録再生され、前記ドライブ装置の回転スピンドル軸が挿入されるチャッキング開口孔が形成されたディスクメディアと、前記ディスクメディアを回転可能に収納するケースと、前記ケースに形成され、前記ディスクメディアを前記ケースから出し入れ可能とする開口部と、前記開口部に張り出し、前記ディスクメディアを前記ケースに保持する保持部材と、を備えたディスクカートリッジを収納するディスクカートリッジ用収納ケースにおいて、前記ディスクカートリッジを収容する収容部が形成されたカバーと、前記カバーに取り付けられて、前記収容部との間に前記ディスクカートリッジを保持する台紙と、前記収容部から突設され、前記保持部材によって一部が覆われた開口部と係合し、前記ディスクメディアを押さえる突出部と、を備えたことを特徴としている。
【００１０】
請求項１に記載の発明では、カバーに形成された収容部にディスクカートリッジを収容し、カバーに台紙を取り付けることで、カバーの収容部と台紙との間にディスクカートリッジが保持される。このとき、収容部に形成された突出部が、保持部材によって一部が覆われた開口部と係合し、ディスクメディアを押さえる。
【００１１】
これによって、ディスクメディアは突設部とケースとの間に保持されるので、ディスクメディアが回転軸方向に移動するのが防止される。従って、輸送時等やカートリッジ用収納ケースを落下させたとき、また、カートリッジ用収納ケースを振った場合でも、振動によってディスクメディアがケース内で移動するのを防ぐことができるので、ディスクメディアがダメージを受けにくくなる。
【００１２】
請求項２に記載の発明は、前記突出部の前記ディスクメディアに当接する当接面には、複数の突起が設けられていることを特徴としている。
【００１３】
請求項２に記載の発明では、突出部のディスクメディアに当接する当接面には、複数の突起が設けられており、ディスクメディアに突出部を当接させた際、突出部と複数の突起とで、ディスクメディアを弾性的に押圧する。これによって、突出部の当接面に反りがある場合でも、複数の突起によってディスクメディアの全体を押圧することができる。
【００１４】
請求項３に記載の発明は、前記突出部には、前記チャッキング開口部に係合する凸部が形成されていることを特徴としている。
【００１５】
請求項３に記載の発明では、突出部に形成された凸部をチャッキング開口部に係合することで、ディスクメディアが半径方向に移動するのを抑えることができる。これにより、ディスクカートリッジを店頭等にて販売する際に、ディスクカートリッジ用収納ケースにディスクカートリッジを収容し、ぶら下げて展示した場合でも、ディスクメディアは半径方向へケース内でずれることがない。従って、常にケースに対してディスクメディアが正しい位置に保持されているので、見栄えが悪くなることがない。
【００１６】
また、ディスクメディアがケース及び保持部材に対して摺動するのが防止されるので、ディスクメディアの表面に傷がつく恐れがない。さらに、ディスクカートリッジ用収納ケースを振った場合、摺動等による音の発生がない。
【００１７】
請求項４に記載の発明は、前記凸部の断面は、多角形状とされていることを特徴としている。
【００１８】
請求項４に記載の発明では、凸部の断面を多角形状とすることで、凸部の角部がチャッキング開口部の内周面に当接する。これによって、凸部はチャッキング開口部の内周面に弾性的に係合するので、凸部がチャッキング開口部の寸法に対して少し大きめに形成されていても、チャッキング開口部に係合させることができる。従って、凸部の寸法精度を高く維持する必要がなく、低コストで凸部を形成することができる。
【００１９】
請求項５に記載の発明は、前記凸部の側壁には、前記チャッキング開口部の軸方向に平行とされた突条が設けられていることを特徴としている。
【００２０】
請求項５に記載の発明では、凸部の側壁には、チャッキング開口部の軸方向と平行な突条が設けられており、凸部はチャッキング開口部の内周面に対して弾性的に係合する。これによって、ケース内でディスクメディアが半径方向へ移動するのを確実に抑えることができる。
【００２１】
請求項６に記載の発明は、前記カバーは、透明な部材で形成されたことを特徴としている。
【００２２】
請求項６に記載の発明では、カバーを透明な部材で形成することで、ディスクカートリッジを収納ケースに収納しても、ディスクメディアの表面に記録された文字等の情報がカバーの外側から容易に観察できる。また、表面に印刷された画像などが明瞭に確認できるので、ユーザーへのアピール度を向上できる。
【００２３】
請求項７に記載の発明は、前記カバーの両端部には、前記台紙の両端部がスライドして係合する係合部が形成されていることを特徴としている。
【００２４】
請求項７に記載の発明では、カバーの端部には、台紙の両端部が係合する係合部が形成されており、ディスクカートリッジを収納したカバーに台紙を係合させてスライドさせることで、ディスクカートリッジはカバーと台紙との間に収納される。これによって、ディスクカートリッジを取り出す際には、カバーから台紙をスライドさせればよい。また、取り出したディスクカートリッジを収納部に収納して、台紙をスライドさせて収容部を閉塞すれば、ディスクカートリッジは収納部と台紙との間に収納される。従って、ディスクカートリッジを取り出しても、ディスクカートリッジ用収納ケースは、再度ディスクカートリッジを収納することができ、再利用が可能となる。
【００２５】
請求項８に記載の発明は、前記カバーの平坦面には、前記台紙の端部に設けられた突起部が係合可能な凹部が形成されていることを特徴としている。
【００２６】
請求項８に記載の発明では、カバーの平坦面には凹部が形成されており、この凹部が台紙の端部に設けられた突起部に係合されることで、ディスクカートリッジはカバーと台紙との間に収納される。このような構成とすることで、請求項７と同様に、ディスクカートリッジを取り出しても、ディスクカートリッジ用収納ケースは、再度ディスクカートリッジを収納することができ、再利用が可能となる。
【発明の効果】
【００２７】
本発明は、上記構成としたので、収納ケースに収納して展示したり持ち運ぶときに、ディスクカートリッジ内でディスクメディアが摺擦するのを防止することができる。
【発明を実施するための最良の形態】
【００２８】
本発明の第１の実施形態に係るディスクカートリッジ用収納ケースに収納されるディスクカートリッジについて簡単に説明する。
［ディスクカートリッジの全体構成］
図８及び図９に示すように、ディスクカートリッジ１０に収容されるディスクメディア１２は、円板状に形成されている。ディスクメディア１２の軸心部には、ディスクドライブ装置の回転スピンドル軸にキャッチング（係合保持）されるセンタ孔１２Ａが設けられている。
【００２９】
ケース１４は、合成樹脂製の上シェル２６と下シェル２８とを接合して略矩形扁平容器状に構成されている。
【００３０】
上シェル２６は、平面視でケース１４の形状に対応した形状の天板３０と、天板３０の外周縁部に沿って下方に立設された外周壁３２と、を備えている。天板３０には、ディスクメディア１２の外径よりも若干大径（ディスクメディア１２が回転しても接触しない程度の大きさ）の円形孔とされたディスク開口部３５が穿設されている。このように、上シェル２６の天板３０に、ディスク開口部３５が設けられたことにより、上方への膨出部分は形成されないため、ディスク開口部３５が形成されていない密閉型ディスクカートリッジのケースよりもケース１４は薄く構成できる利点がある。
【００３１】
ディスク開口部３５の内周縁部には、下方に向けて所定高さの内周壁３４が立設されており、内周壁３４の内側には、ディスクメディア１２が回転可能に収容されるようになっている。このディスク開口部３５によって、ケース１４へのディスクメディア１２の挿入、ケース１４からのディスクメディア１２の取り出しが可能となっている。
【００３２】
天板３０の後部側には、ディスク押さえ２４が設けられており、ディスク開口部３５側へ倒れて、ディスクメディア１２の外縁部を押さえ、ディスクメディア１２がディスク開口部３５から脱落しないように、かつ、保存時において収容部５７内でガタつかないように保持されるようになっている。
【００３３】
一方、下シェル２８は、天板３０に略対応した形状の底板４０と、上シェル２６の外周壁３２に対応した形状の外周壁４２とを備えており、底板４０には、開口２０が設けられている。
【００３４】
また、底板４０上には、インナーロータ１６及びシャッター部材１８が設けられている。そして、このインナーロータ１６とシャッター部材１８とが互いに反対方向に回動することにより、開口２０が開閉されるようになっており、開口２０の開放時に、ディスクメディア１２の記録面１２Ｂの一部が外部に露出することにより、ドライブ装置の記録再生ヘッドによるアクセスが可能となる構成である。
【００３５】
［ディスクカートリッジ用収納ケースの構成］
以上のような構成のディスクカートリッジ１０を収納するディスクカートリッジ用収納ケース１５０について説明する。
【００３６】
図１及び図２に示すように、ディスクカートリッジ用収納ケース１５０は、透明なカバー１５２と、このカバー１５２に取り付けられる台紙１５４とで構成されている。
【００３７】
カバー１５２には、ディスクカートリッジ１０の外形とほぼ同じ形状で、ディスクカートリッジ１０の外形よりも一回り大きい収容部１５６が凹設されており、ディスクカートリッジ１０がこの収容部１５６に収納可能とされている。カバー１５２は、プラスチック材料などの透明板状体で、真空成型法や絞り加工法等で形成されている。プラスチック材料としては、塩化ビニル、ポリプロピレン、ポリエチレン、ポリスチレン等の熱可塑性樹脂製シートが用いられる。
【００３８】
カバー１５２の収容部１５６が形成された側には、台紙１５４が取り付けられるようになっている。台紙１５４は、カバー１５２とほぼ同じ大きさの矩形状とされ、カバー１５２に台紙１５４を取り付けることで、収容部１５６は閉塞されるようになっている。
【００３９】
収容部１５６の台紙１５４と対向する面には、凸部１５８が形成されている。凸部１５８は、ディスク押さえ２４でディスクメディア１２を押さえたとき、このディスク押さえ２４によって一部が隠されたディスクメディア１２（ディスクメディア１２が露出している部分）とほぼ同形状とされている。そして、収容部１５６にディスクカートリッジ１０を収納した際に、凸部１５８はディスクカートリッジ１０のディスク開口部３５に嵌入され、凸部１５８の頂部１５８Ａ（平坦部）がディスクメディア１２に当接する。これにより、ディスクメディア１２は凸部１５８とケース１４に挟持された状態となる。
【００４０】
また、凸部１５８の略中央部分には、円柱状の円柱凸部１６０が立設されている。円柱凸部１６０は、ディスクメディア１２のセンタ孔１２Ａの半径と同じ寸法もしくはセンタ孔１２Ａの半径よりもやや大きめに形成されている。そして、収容部１５６にディスクカートリッジ１０を収納すると、開口部３５に凸部１５８が嵌入すると同時に、円柱凸部１６０はディスクメディア１２のセンタ孔１２Ａに挿入される。
【００４１】
一方、カバー１５２の左右両端部及び後端部は収容部１５６側へ折り返され、溝状の係止部１６４が形成されている。そして、カバー１５２の係止部１６４が形成されていない前端部から、台紙１５４の両端部をカバー１５２の両端部の係止部１６４Ａに係合させて後端部に向けてスライドさせる。そして、台紙１５４の後端部がカバー１５２の係止部１６４Ｂまで到達すると、台紙１５４はカバー１５２に係止されてセットされる。このようにして、カバー１５２に台紙１５４をセットしたとき、カバー１５２の収容部１５６は台紙１５４によって閉塞される。これによって、収容部１５６にディスクカートリッジ１０を収納した際に、ディスクカートリッジ１０は台紙１５４によって押さえられるようになっている。
【００４２】
カバー１５２及び台紙１５４の上端部近傍には、吊り下げ用のフック孔１６６、１６８が開口されており、このフック孔１６６、１６８は、店頭の陳列棚等のフック棒（図示省略）に引っ掛けられるようになっている。
【００４３】
次に、本発明の第１の実施形態に係る作用について説明する。
【００４４】
図１及び図２に示すように、カバー１５２の収容部１５６にディスクカートリッジ１０を収納し、収容部１５６を閉塞するようにして台紙１５４を矢印Ｄ方向にスライドさせながらカバー１５２に係合させる。これによって、ディスクカートリッジ１０はカバー１５２に収納される。そして、収容部１５６の凸部１５８がディスクメディア１２に当接することで、ディスクメディア１２は凸部１５８とケース１４との間に挟持される状態となる。つまり、ディスクメディア１２は凸部１５８によってケース１４に押圧される。
【００４５】
これによって、ディスクメディア１２は回転軸方向に移動するのが防止されるので、輸送時等にディスクカートリッジ用収納ケース１５０が落下した場合でも、ディスクメディア１２がケース１４内で移動するのを防ぐことができる。従って、ディスクメディア１２がダメージを受けにくくなる。また、ディスクカートリッジ用収納ケース１５０を振った場合に、ディスクメディア１２がケース１４内で移動しないので、移動等による音の発生がない。そして、振ったときにユーザーの手にディスクメディア１２がケース１４内で移動する振動が伝わることもない。
【００４６】
さらに、凸部１５８に円柱凸部１６０を設け、ディスクメディア１２のセンタ孔１２Ａに円柱凸部１６０を挿入する構成とすることで、ディスクメディア１２の半径方向に移動するのを抑えることができる。これにより、ディスクカートリッジ１０を店頭等にて販売する際に、ディスクカートリッジ用収納ケース１５０にディスクカートリッジ１０を収容し、ぶら下げて展示しても、ディスクメディア１２は半径方向へケース１４内でずれることがない。
【００４７】
従って、常にケース１４に対してディスクメディア１２が正しい位置に位置されているので、見栄えが悪くなることがない。また、ディスクメディア１２がディスク押さえ２４に対して摺動するのが防止されるので、ディスクメディア１２の表面に傷がつく恐れがない。
【００４８】
なお、本実施形態では、センタ孔１２Ａに挿入させる凸状の部材として、円柱凸部１６０を用いて説明したが、凸状の部材としては、種々の形態を用いることができる。
【００４９】
例えば、図３（Ｂ）に示すように、凸部１５８の略中央部に多角形状の凸部１７０を形成し、センタ孔１２Ａに挿入させてもよい。凸部１７０を多角形状とすることで、凸部１７０の角部がセンタ孔１２Ａの内周面に当接する。これによって、凸部１７０はセンタ孔１２Ａの内周面に弾性的に係合するので、凸部１７０がセンタ孔１２Ａの寸法に対して少し大きめに形成されていても、センタ孔１２Ａに係合させることができる。従って、凸部１７０の寸法精度が高くならず、低コストで凸部１７０を形成することができる。
【００５０】
また、図３（Ａ）に示すように、センタ孔１２Ａの軸方向と平行な突条１７４が周囲に形成された凸部１７２をセンタ孔１２Ａに挿入してもよい。これにより、凸部１７２はセンタ孔１２Ａに対して弾性的に係合するので、ディスクカートリッジ１０内でディスクメディア１２が回転軸方向へ移動するのを確実に抑えることができる。
【００５１】
なお、ディスクメディア１２は凸部１５８によって台紙１５４側に押圧される構成とされており、ディスクメディア１２はディスクカートリッジ１０に対して摺動するのを防止されているので、円柱凸部１６０は必ずしも設ける必要はない。
【００５２】
また、本実施形態では、カバー１５２を透明な部材で形成することによって、ディスクカートリッジ用収納ケース１５０内に収納されたディスクカートリッジ１０に記載された文字及び、ディスクメディア１２の表面に記載された文字や画像等の情報が、カバー１５２の外側から観察できるようにされている。なお、ディスクカートリッジ１０やディスクメディア１２に記載された文字等をカバー１５２の外側から観察する必要がなければ、カバー１５２を透明な部材で形成する必要はない。
【００５３】
さらに、図１に示すように、台紙１５４の両端部が係合する係止部１６４が形成されており、ディスクカートリッジ１０を収納したカバー１５２に台紙１５４をスライドして係合させることで、ディスクカートリッジ１０はカバー１５２と台紙１５４との間に収納される。これによって、ディスクカートリッジ１０を取り出す際には、カバー１５２から台紙１５４を矢印Ａ方向にスライドさせればよい。また、取り出したディスクカートリッジ１０をカバー１５２の収容部１５６に収納して、台紙１５４を矢印Ｄ方向にスライドさせながらカバー１５２の収容部１５６を閉塞すれば、ディスクカートリッジ１０は再度カバー１５２と台紙１５４との間に収納される。従って、ディスクカートリッジ１０を取り出しても、ディスクカートリッジ用収納ケース１５０は、再度ディスクカートリッジ１０を収納することができ、ディスクカートリッジ用収納ケース１５０を再利用することができる。
【００５４】
なお、本実施形態では、カバー１５２の三方向の端部に係止部１６４を形成し、この係止部１６４に台紙１５４の三方向の端部を係止させる構成としたが、図４に示すように、カバー１５２の収容部１５６が形成されていない面（台紙１５４と重なる面）に凹部１７６を形成し、台紙１５４の凹部１７６に対応する位置に凸部１７８を形成して、カバー１５２と台紙１５４とを取り付ける構成としてもよい。
【００５５】
また、本実施形態では、凸部１５８の形状をディスク押さえ部材２４によって一部が隠されたディスクメディア１２の露出部とほぼ同じ形状としたが、ディスクメディア１２を台紙１５４側（ケース１４）に押圧することができれば、特に凸部１５８の形状は限定されない。
【００５６】
次に、本発明の第２の実施形態に係るディスクカートリッジ用収納ケース１８０について説明する。なお、第１の実施形態と同様の部分についての説明は、割愛する。
【００５７】
図５及び図６に示すように、凸部１５８の平面部（台紙１５４と対向する面）には、複数の円柱状の小突起１８４が設けられている。カバー１５２にディスクカートリッジ１０を収納し、台紙１５４で収容部１５６を閉塞したとき、凸部１５８はディスク開口部３５に嵌入され、小突起１８４の先端部がディスクメディア１２に当接する。これにより、ディスクメディア１２は、小突起１８４と台紙１５４に挟持された状態となり、ディスクメディア１２は小突起１８４によって台紙１５４側に押圧される。
【００５８】
このように、凸部１５８に複数の小突起１８４を設け、ディスクメディア１２に当接させることで、凸部１５８と複数の小突起１８４とで、ディスクメディア１２をケース１４側に弾性的に押圧することができる。これによって、凸部１５８の平面部に反りがある場合でも、複数の小突起１８４によってディスクメディア１２の全体をケース１４側に押圧することができる。
【００５９】
なお、本実施形態では、小突起１８４を円柱形状としたが、小突起１８４の形状は必ずしも円柱形状とはされず、凸部１５８に形成されてディスクメディア１２をケース１４側に押圧することができれば、形状は特に限定されない。
【００６０】
また、本実施形態では、１枚のディスクカートリッジ１０を収納するディスクカートリッジ用収納ケースについて説明したが、図７に示すように、ディスクカートリッジ１０を複数枚を収納するように、ケース１９０にディスクカートリッジ１０が収納される収納部１９２を複数設けた構成としてもよい。この場合、それぞれの収納部１９２に、ディスクカートリッジ１０のディスクメディア１２をケース１４（図１参照）側に押圧する凸部１９６を形成することで、ディスクメディア１２はディスクカートリッジ１０に対して摺動するのが防止される。
【図面の簡単な説明】
【００６１】
【図１】本発明の第１の実施形態に係るディスクカートリッジ用収納ケースの構成を示す斜視図である。
【図２】本発明の第１の実施形態に係るディスクカートリッジ用収納ケースの構成を示す断面図である。
【図３】本発明の他の実施形態に係るディスクカートリッジ用収納ケースのディスク孔に挿入する凸部の他の形態を示す斜視図である。
【図４】本発明の他の実施形態に係るディスクカートリッジ用収納ケースの他の構成を示す斜視図である。
【図５】本発明の第２の実施形態に係るディスクカートリッジ用収納ケースの構成を示す斜視図である。
【図６】本発明の第２の実施形態に係るディスクカートリッジ用収納ケースの構成を示す断面図である。
【図７】本発明の他の実施形態に係るディスクカートリッジ用収納ケースの構成を示す斜視図である。
【図８】本発明の実施形態に係るディスクカートリッジのディスクメディアを除いた状態の斜視図である。
【図９】本発明の実施形態に係るディスクカートリッジの構成を示す分解斜視図である。
【符号の説明】
【００６２】
１０  ディスクカートリッジ
１２  ディスクメディア
１２Ａ  ディスク孔（チャッキング開口孔）
１４  ケース
２４  押さえ部材（保持部材）
３５  ディスク開口部（開口部）
１５０  ディスクカートリッジ用収納ケース
１５２  カバー
１５４  台紙
１５６  収容部
１５８  凸部（突出部）
１６０  円柱凸部（凸部）
１６４  係止部（係合部）
１７０  凸部
１７２  凸部
１７４  突条（突片）
１７６  凹部
１７８  凸部
１８０  ディスクカートリッジ用収納ケース
１８４  小突起（突起）
【図１】
2005271933.tif 000003
【図２】
2005271933.tif 000004
【図３】
2005271933.tif 000005
【図４】
2005271933.tif 000006
【図５】
2005271933.tif 000007
【図６】
2005271933.tif 000008
【図７】
2005271933.tif 000009
【図８】
2005271933.tif 000010
【図９】
2005271933.tif 000011